(57)【要約】【課題】表示装置の構成部材を覆うカバーに振動が発生したり、カバーの外側から圧力が加わった場合に、内部の構成部材が破損したりしない表示装置を提供する。【解決手段】表示装置１は、表示部１０を裏面側から覆う表示部カバー１００の裏面１００ａ側に配設された、表示ユニット２０を駆動する駆動手段４０，５０を磁性金属製の背面カバー１１０が覆い、表示部カバー１００の裏面１００ａに起立して固設された接続保護手段１０１が背面カバー１１０を磁力で吸着するとともに外側からの押圧力から駆動手段４０，５０を保護する。【選択図】図１
2014174354.tif 000002
【特許請求の範囲】
【請求項１】
複数の表示ユニットを連ねて配設した表示部を有する表示装置において、
前記表示部を裏面側から覆う表示部カバーと、該表示部カバーの裏面側に配設された、前記表示ユニットを駆動するための駆動手段を覆う背面カバーと、前記表示部カバーの裏面に起立して固設され、前記背面カバーを磁力で接続するとともに前記駆動手段を外側からの押圧力から保護する接続保護手段備え、
前記背面カバーは、磁石に吸着する磁性金属から成り、
前記接続保護手段は、磁石を有し、前記背面カバーを前記表示部カバーに取り付けた状態で前記背面カバーの側面内側と前記磁石とが接する位置に固定され、前記表示部カバーの裏面から起立した部分の先端までの高さが前記背面カバーの奥行きと略同じであることを特徴とする表示装置。
【請求項２】
前記接続保護手段は、さらに前記背面カバーを前記表示部カバーに取り付けた状態で前記背面カバーの側面内側と前記磁石とが接しない位置にも固定されていることを特徴とする請求項１に記載の表示装置。
【発明の詳細な説明】
【技術分野】
【０００１】
本発明は、複数の表示ユニットを連ねて配設した表示部を有する表示装置に関する。
【背景技術】
【０００２】
従来の表示装置として、例えば特許文献１に示すようなものがある。
すなわち、ＬＥＤ発光源と駆動制御部等を一つの筐体内部に収容したものである。この筐体内部には、回路基板が設けられ、該回路基板には液晶表示装置の駆動制御部やバックライト光源としてのＬＥＤ光源が設けられている。
【先行技術文献】
【特許文献】
【０００３】
【特許文献１】特開２０１０−２０８５４３号公報
【発明の概要】
【発明が解決しようとする課題】
【０００４】
しかしながら、このような従来の技術のように、一つの筐体に全ての構成部材を収容するのでは、全体として嵩張ってしまうことが多く、無駄にスペースを占有してしまうという問題がある。
【０００５】
このような問題点を改善するために本願と同一の出願人によって（本願と同日に）出願された「表示装置」の特許出願（ＫＴ１２７１４）がある。この出願に係る表示装置は、一つの筐体に全ての構成部材を収納するのではなく、複数の表示ユニットを固定フレームのみに固定した表示部を裏面側から表示部カバーで覆い、表示ユニットを駆動するための駆動手段を表示部カバーの裏面側に配設し、駆動手段を背面カバーで覆うようにしたものである。
【０００６】
これにより、表示装置は、奥行き方向に無駄なスペースが生じないようにすることができている。しかしながら、カバーを取り付けて構成したものの場合、カバーに発生し得る振動の防止やカバーの外側から押される力が働いたときの耐性の対策をしなければならないという問題点がある。
【０００７】
本発明は、このような従来の技術が有する問題点に着目してなされたもので、表示装置の構成部材を覆うカバーに振動が発生したり、カバーの外側から圧力が加わった場合に、内部の構成部材が破損したりしない表示装置を提供することを目的としている。
【課題を解決するための手段】
【０００８】
前述した目的を達成するための本発明の要旨とするところは、次の各項の発明に存する。
［１］複数の表示ユニット（２０）を連ねて配設した表示部（１０）を有する表示装置（１）において、
前記表示部（１０）を裏面側から覆う表示部カバー（１００）と、該表示部カバー（１００）の裏面（１００ａ）側に配設された、前記表示ユニット（２０）を駆動するための駆動手段（４０，５０）を覆う背面カバー（１１０）と、前記表示部カバー（１００）の裏面（１００ａ）に起立して固設され、前記背面カバー（１１０）を磁力で吸着するとともに前記駆動手段（４０，５０）を外側からの押圧力から保護する接続保護手段（１０１）を備え、
前記背面カバー（１１０）は、磁石に吸着する磁性金属から成り、
前記接続保護手段（１０１）は、磁石（１０１ｂ）を有し、前記背面カバー（１１０）を前記表示部カバー（１００）に取り付けた状態で前記背面カバー（１１０）の側面内側と前記磁石（１０１ｂ）とが接する位置に固定され、前記表示部カバー（１００）の裏面（１００ａ）から起立した部分の先端までの高さが前記背面カバー（１１０）の奥行きと略同じであることを特徴とする表示装置（１）。
【０００９】
［２］前記接続保護手段（１０１）は、さらに前記背面カバー（１１０）を前記表示部カバー（１００）に取り付けた状態で前記背面カバー（１１０）の側面内側と前記磁石（１０１ｂ）とが接しない位置にも固定されていることを特徴とする項［１］に記載の表示装置（１）。
【００１０】
前記本発明は次のように作用する。
項［１］の表示装置（１）は、表示部（１０）を裏面側から覆う表示部カバー（１００）の裏面（１００ａ）側に配設された駆動手段（４０，５０）を保護するために駆動手段（４０，５０）全体を磁性金属から成る背面カバー（１１０）で覆ってある。背面カバー（１１０）を表示部カバー（１００）に取り付けた状態では、接続保護手段（１０１）は、磁石（１０１ｂ）が背面カバー（１１０）の側面内側に接している上に磁力で吸着しているので、背面カバー（１１０）に振動が発生することを防止している。
【００１１】
また、接続保護手段（１０１）は、表示部カバー（１００）の裏面（１００ａ）から起立した部分の先端部が背面カバー（１１０）の正面に略接しているので、背面カバー（１１０）を保持しているとともに外側から押されるような圧力が加わってもその力を受けることができる。これにより、駆動手段（４０，５０）を保護することができ、正面側と表示部カバー（１００）の裏面（１００ａ）とをつなぐ方向の振動の発生を防止している。
【００１２】
項［２］の表示装置（１）によれば、接続保護手段（１０１）は、さらに前記背面カバー（１１０）を前記表示部カバー（１００）に取り付けた状態で前記背面カバー（１１０）の側面内側と前記磁石（１０１ｂ）とが接しない位置にも固定されているので、背面カバー（１１０）の振動発生防止および外側からの押圧力に対する駆動手段（４０，５０）の保護をより強化することができる。
【発明の効果】
【００１３】
本発明に係る表示装置によれば、表示ユニットを駆動するための駆動手段を覆う背面カバーを接続保護手段が該背面カバーの内側から側面に接するとともに背面カバーの外側からの押圧力を受けることができるので、背面カバーに振動が発生することを防止できるとともに駆動手段を確実に保護することができる。
【図面の簡単な説明】
【００１４】
【図１】本発明の一実施の形態に係る表示装置から背面カバーを外した状態を裏面側から示す斜視図である。
【図２】本発明の一実施の形態に係る表示装置の主要部を示す斜視図である。
【図３】本発明の一実施の形態に係る表示装置を正面側から示す斜視図である。
【図４】本発明の一実施の形態に係る表示装置を背面側から示す斜視図である。
【図５】表示ユニットを縦置きにして連ねた状態を示す斜視図である。
【図６】図５の表示ユニットを固定フレームに固定した状態を示す斜視図である。
【図７】図６の中間固定フレームとは異なる形状の中間固定フレームを使用したものを示す斜視図である。
【図８】表示装置の表示部を示す斜視図である。
【図９】表示装置の背面カバーを示す斜視図である。
【発明を実施するための形態】
【００１５】
以下、図面に基づき本発明の好適な一実施の形態を説明する。
各図は本発明の一実施の形態を示している。
図１は、本実施の形態に係る表示装置から背面カバーを外した状態を示す斜視図である。図２は、本実施の形態に係る表示装置の主要部である表示部を示す斜視図である。図３は、図２の表示部を内蔵した本実施の形態に係る表示装置を正面側から示す斜視図であり、図４は、図３の表示装置を背面側から示す斜視図である。図５は、表示ユニットを縦置きにして連ねた状態を示す斜視図である。図６は、図５の表示ユニットを固定フレームに固定した状態を示す斜視図である。図７は、形状の異なる中間固定フレームを使用した例を示す斜視図である。図８は、図２の表示部を背面から覆った表示部カバーを示す斜視図であり、図９は、図１の電源部とコントローラーとを覆う背面カバーを表示部カバーの背面に取り付けた状態を示す斜視図である。
【００１６】
図２に示したように、本実施の形態に係る表示装置１は、表示部１０に複数の表示ユニット２０を連ねて配設したものである。各表示ユニット２０は、複数の発光素子としてＬＥＤを有するものであり、ＬＥＤに代えて有機ＥＬ等を有するものでもよい。
【００１７】
表示部１０は、図８から図９までに示したように表示部カバー１００によって背面側から覆われている。さらに、図１に示したように、表示部カバー１００の背面には、表示部１０を駆動するための電源部４０とコントローラー５０とが取り付けられている。図９に示したように、これら電源部４０とコントローラー５０は背面カバー１１０によって覆われている。表示部カバー１００および背面カバー１１０は金属製の磁性材料である鉄から作られたものである。
【００１８】
このようにして表示部１０を有する表示装置１は、図３および図４に例示したように、車体取付用アダプタ１２０が装着されて鉄道車両に取り付けられる。鉄道車両に取り付けられた場合は、急行や各駅停車等の列車の種類を表示する表示装置や行き先を表示する表示装置として使用される。この場合、例えば各表示ユニット２０は、縦１９２ｍｍ×横９６ｍｍの大きさのものであり、１つの表示ユニット２０には２文字が表示される。したがって、横置きに配設したものの場合は横に２文字を表示することができ、縦置きに配設したものの場合は横方向は１文字で上下方向に２文字を表示することができる。
【００１９】
次に、表示部１０について詳述する。
図５に示したように本実施の形態に係る表示装置１の表示部１０は、表示ユニット２０を縦置きに５つ連ねて配設するものである。表示ユニット２０は、表側に多数のＬＥＤが縦横マトリクス状に配列されている。図示された各表示ユニット２０の裏面側には、配線２０３のコネクタ２１が上部および下部に１つずつ設けられている。
【００２０】
また、下部のコネクタ２１から中央寄りには電源供給用配線のための電源供給コネクタ２２が１つ設けられている。各コネクタ２１の４つの角の付近には、螺子穴が形成された取付ピン２３が一つずつ取り付けられている。また、中央付近の左右の側縁にも取付ピン２３が一つずつ取り付けられている。
【００２１】
図２および図６に示したように、表示ユニット２０は、その上部および下部それぞれが固定フレーム３１，３１に固定されており、中央部が固定フレーム３２に固定されている。これら固定フレーム３１，３１，３２は、アルミ等の金属製である。
【００２２】
連なる表示ユニット２０それぞれの上端の側縁に沿って延びる側縁固定フレーム３１は、各表示ユニット２０の上部に取り付けられた取付ピン２３に螺子止めされている。同様に、各表示ユニット２０の下端の側縁に沿って延びる側縁固定フレーム３１は、各表示ユニット２０の下部に取り付けられた取付ピン２３に螺子止めされている。これら側縁固定フレーム３１は横断面がＬ字状に形成されている。
【００２３】
表示部１０の表示ユニット２０の中央部には、中間固定フレーム３２が表示ユニット２０の連なる方向に延びている。中間固定フレーム３２は、各表示ユニット２０の中央付近に取り付けられた取付ピン２３に螺子止めされている。中間固定フレーム３２は、その長手方向に沿って中央に窪んだ電源供給配線経路３２ａが形成されている。また、中間固定フレーム３２には、電源供給配線経路３２ａ以外のフランジに切欠３２ｂを有している。
【００２４】
電源供給配線経路３２ａは、各表示ユニット２０に電源を供給するための電源供給線２０１を通す部分である。この電源供給線２０１は、ハーネス化されたものが電源供給配線経路３２ａに通されている。切欠３２ｂには、電源供給線２０１から延びて各表示ユニット２０の電源供給コネクタ２２に接続されている電線２０２が結束された状態で通されている。
【００２５】
側縁固定フレーム３１および中間固定フレーム３２に穿設されている螺子穴は、表示ユニット２０を縦置きにしたときに取付ピン２３に螺子止めできる位置と表示ユニット２０を横置きにしたときに取付ピン２３に螺子止めできる位置の双方に穿設されている。なお、取付ピン２３を取り付ける位置を縦置きおよび横置きで共通となるような位置にすることによって、側縁固定フレーム３１および中間固定フレーム３２に穿設する螺子穴も表示ユニット２０を縦置きにする場合と横置きにする場合とで共通化することができる。
【００２６】
また、図７に示したように、中間固定フレーム３２を中間固定フレーム３３に代えることもできる。この中間固定フレーム３３は、断面がコ字状の形状を有する点が中間固定フレーム３２とは異なるが、中間固定フレーム３２と同様の機能を奏する。また、側縁固定フレーム３１に穿設されている螺子穴を穿設して加えておくことにより、側縁固定フレーム３１に代えて側縁固定フレーム３１として使用できることも中間固定フレーム３２と同様である。さらに、中間固定フレーム３２の切欠３２ｂと同様の切欠を設けておいてもよい。
【００２７】
以上のように側縁固定フレーム３１および中間固定フレーム３２または中間固定フレーム３３に固定された表示ユニット２０は、隣同士がそれぞれコネクタ２１に接続された配線２０３によって接続されている。このように構成された表示部１０は、図８に示したように表示部カバー１００が取り付けられている。表示部カバー１００は、正面側が表示部１０の表示ユニット２０を露出するように開放されている。
【００２８】
図１、図８および図９に示した表示部カバー１００の裏面１００ａ側には、電源部４０とコントローラー５０が設けられている。これらは、代表的には鉄である磁性金属製の背面カバー１１０によって覆われ、保護されている。背面カバー１１０は、電源部４０とコントローラー５０を覆う必要最小限の大きさであり、表示部カバー１００よりも小さいものである。この背面カバー１１０に覆われる位置で電源部４０とコントローラー５０の中間位置には磁石１０１ｂを備えたマグネティックキャッチ１０１が固定されている。
【００２９】
このマグネティックキャッチ１０１は、表示部カバー１００の裏面１００ａに固定されたＬ字形の磁石固定具１０１ａと、該磁石固定具１０１ａが表示部カバー１００の裏面１００ａから立ち上がった起立部分に固定された板状の磁石１０１ｂとから成るものである。表示部カバー１００の裏面１００ａからマグネティックキャッチ１０１の起立部分の先端部までの高さは、背面カバー１１０の奥行きと略同じである。
【００３０】
また、マグネティックキャッチ１０１は、表示部カバー１００に背面カバー１１０を取り付けたときに、背面カバー１１０の側面内側に接する位置に在る。これにより、マグネティックキャッチ１０１は、磁力によって表示部カバー１００と背面カバー１１０とを連結するとともに、背面カバー１１０を表示部カバー１００に向かって押すような力が背面カバー１１０に働いたときに、マグネティックキャッチ１０１の先端が背面カバー１１０を受けるので、背面カバー１１０に覆われた電源部４０やコントローラー５０が背面カバー１１０から圧力を受けて破損することを防止することができる。
【００３１】
表示部カバー１００には、その長手方向の両端付近に取手１０２が固設されている。このように構成された表示装置１は、例えば図３および図４に示した車体取付用アダプタ１２０に装着され、車体取付用アダプタ１２０ごと鉄道車両の所定の表示位置に取り付けられる。
【００３２】
次に本実施の形態に係る表示装置１の作用を説明する。
表示装置１の表示部１０は、５つの表示ユニット２０を縦置きに横に連ねるように構成される。５つの表示ユニット２０は、２本の側縁固定フレーム３１と１本の中間固定フレーム３２に固定される。表示ユニット２０と側縁固定フレーム３１および中間固定フレーム３２との固定は螺子によって行われる。
【００３３】
２本の側縁固定フレーム３１のうち、一本は、連なる表示ユニット２０それぞれの上部に取り付け、もう一本は、表示ユニット２０それぞれの下部に取り付ける。表示ユニット２０それぞれの上部および下部の角付近に取り付けられた取付ピン２３には螺子穴が穿設されているので、その螺子穴と側縁固定フレーム３１に穿設された螺子穴とを合わせて螺子止めすることにより、表示ユニット２０は、所定の位置に固定される。
【００３４】
中間固定フレーム３２は、連なる表示ユニット２０それぞれの中央部に固定する。この固定は、表示ユニット２０それぞれの中央部付近に取り付けられた取付ピン２３に穿設された螺子穴に中間固定フレーム３２に穿設された螺子穴を合わせて螺子止めする。
【００３５】
次に、中間固定フレーム３２の電源供給配線経路３２ａに電源供給線２０１を通し、電源供給線２０１からの電線２０２を各表示ユニット２０の電源供給コネクタ２２に接続する。次に、隣り合う表示ユニット２０の一方のコネクタ２１ともう一方の表示ユニット２０のコネクタ２１とを配線２０３で接続する。
【００３６】
このように、表示ユニット２０は、板状に近く高さが僅かな側縁固定フレーム３１および中間固定フレーム３２によって固定されるので、５つの表示ユニット２０を固定した表示部１０の厚さは必要最小限に近い薄さになる。なお、以上の組み立てにおいて、中間固定フレーム３２に代えて中間固定フレーム３３を使用しても同様にして組み立てることができる。
【００３７】
このようにして組み立てられた表示部１０は、次に表示部カバー１００を取り付けられる。表示部カバー１００の正面側の開放された部分から表示部１０を表示部カバー１００の内側に入れる。このとき、表示部１０のＬＥＤが表示部カバー１００の正面側の開放部分から露出する向きに入れる。この状態が図８に示されている。図８には既にコントローラー５０が取り付けられている状態が示されている。
【００３８】
図１に示すように、コントローラー５０の隣に電源部４０を取り付けてから、電源部４０およびコントローラー５０を覆う背面カバー１１０を表示部カバー１００の裏面１００ａ側に取り付ける。背面カバー１１０は螺子によって表示部カバー１００に固定する。
【００３９】
このようにして完成した表示装置１は、図３および図４に示した車体取付用アダプタ１２０に取り付けて鉄道車両に取り付けられる。
なお、表示ユニット２０が縦置き５つではなく縦置き４つである表示装置１の場合には、上記の側縁固定フレーム３１および中間固定フレーム３２あるいは中間固定フレーム３３を使用すると、それらは表示ユニット２０一つ分だけ長さが余ってしまう。また、表示部カバー１００もサイズが大きくなってしまう。
【００４０】
このような場合には、表示ユニット２０一つの幅の半分の幅を有する板状のスペーサ板で余分なスペースを埋めるようにすればよい。これにより、表示ユニット２０を縦置き５枚にした場合と縦置き４枚にした場合とで、全ての部品を共通化することができる。このように本実施の形態によれば、設計工数や製作工数が異なることがないので、コストの低減と製作までの時間の短縮を図ることができる。
【００４１】
また、表示ユニット２０を縦置きではなく横置きに連ねて配設した場合でも、その場合に合わせて側縁固定フレーム３１および中間固定フレーム３２または中間固定フレーム３３には螺子穴が穿設してあるので、それらを使用することができる。この場合、側縁固定フレーム３１および中間固定フレーム３２または中間固定フレーム３３の全長に余分が生じたときには上記のようにスペーサ板を使用して余分なスペースを埋めればよい。
【００４２】
このように、本実施の形態に係る表示装置１によれば、種々のサイズや数の表示ユニット２０を取り付けることができ、さらに、取り付ける表示ユニット２０を縦置きにするか横置きにするかに関わらず取り付けることができる。
【００４３】
表示装置１を構成する表示部１０は、裏面側から表示部カバー１００に覆われて保護されている。この表示部カバー１００の裏面１００ａ側に配設された電源部４０およびコントローラー５０は、背面カバー１１０に覆われて保護されている。
【００４４】
表示部カバー１００に取り付けた背面カバー１１０は、側面内側をマグネティックキャッチ１０１の磁石１０１ｂに吸着されているので、振動の発生が防止されている。また、マグネティックキャッチ１０１の起立した部分の先端部が背面カバー１１０に接しているので、背面カバー１１０を外側から押すような圧力が加わってもその力をマグネティックキャッチ１０１によって受けることができる。これにより、背面カバー１１０の内側の電源部４０およびコントローラー５０は確実に保護される。
【００４５】
前記実施の形態においては、表示ユニット２０の上部および下部を固定する側縁固定フレーム３１と表示ユニット２０の中央を固定する中間固定フレーム３２，３３とを形状の異なるものとして説明したが、側縁固定フレーム３１に中間固定フレーム３２，３３に穿設された螺子穴と同じ位置にも螺子穴を穿設しておくことにより、中間固定フレーム３２，３３に代えて、側縁固定フレーム３１によって表示ユニット２０の中央を固定することができる。
【００４６】
これにより、側縁固定フレーム３１と中間固定フレーム３２，３３を共通化することができるので、部品の種類を減らすことができる。この場合、Ｌ字形の側縁固定フレーム３１の折り曲げられて起こされている部分が下になるように固定することにより、電源供給線２０１を保持させることができる。
【００４７】
また、中間固定フレーム３２，３３に側縁固定フレーム３１に穿設された螺子穴と同じ位置にも螺子穴を穿設しておくことによっても側縁固定フレーム３１と中間固定フレーム３２，３３を共通化することができる。
【００４８】
また、マグネティックキャッチ１０１は、背面カバー１１０の側面内側と磁石１０１ｂとが接する位置に固定されたものに加えて、背面カバー１１０の側面内側と磁石１０１ｂとが接しない位置にも固定してもよい。この固定位置は、スペースのある所であればどこでも良く、特に限定されるものではない。
【００４９】
これにより、背面カバーの正面を吸着する接続保護手段１０１の数が増えるので、面積の広い正面での振動発生をより確実に防止することができるとともに正面に加わる外力に対してより耐性が向上する。
【００５０】
以上、本発明の実施の形態を図面によって説明してきたが、具体的な構成はこれらの実施の形態に限られるものではなく、本発明の要旨を逸脱しない範囲における変更や追加があっても本発明に含まれる。例えば、表示装置は、鉄道車両の列車の種類表示や行き先表示のために使用されるものに限られることなく、他に例えば、交通関連の表示装置等の屋外に設置しておく表示装置や、建造物に組み込んだ表示装置等、様々な表示装置にも適用することができる。
【産業上の利用可能性】
【００５１】
本発明は、表示ユニットと該表示ユニットを駆動する電源部やコントローラー等の駆動手段を備え、駆動手段等をカバーで覆う構成を有する表示装置であれば広く実施することができる。
【符号の説明】
【００５２】
１…表示装置
１０…表示部
２０…表示ユニット
２１…コネクタ
２２…電源供給コネクタ
２３…取付ピン
３１…側縁固定フレーム
３２…中間固定フレーム
３２ａ…電源供給配線経路
３２ｂ…切欠
３３…中間固定フレーム
４０…電源部
５０…コントローラー
１００…表示部カバー
１００ａ…裏面
１０１…マグネティックキャッチ
１０１ａ…磁石固定具
１０１ｂ…磁石
１０２…取手
１１０…背面カバー
１２０…車体取付用アダプタ
２０１…電源供給線
２０２…電線
２０３…配線
【図１】
2014174354.tif 000003
【図２】
2014174354.tif 000004
【図３】
2014174354.tif 000005
【図４】
2014174354.tif 000006
【図５】
2014174354.tif 000007
【図６】
2014174354.tif 000008
【図７】
2014174354.tif 000009
【図８】
2014174354.tif 000010
【図９】
2014174354.tif 000011